(57)【要約】【課題】不正行為が行われていることを報知することができる遊技機及び遊技システムを提供すること。【解決手段】所定の遊技領域２１２を有する遊技機２であって、遊技機２の動作を制御するための回路素子が実装された回路基板と、当該回路基板を内部に収納するための開口を有する箱体２２３、及び、当該開口を閉塞する蓋体２２４を備えた収納体２２２と、収納体２２２の開閉状態を監視する状態監視手段２５と、状態監視手段２５による監視に基づいて、収納体２２２が開放されたか否かを判定する判定手段２６と、判定手段２６により収納体２２２が開放されたと判定されると、当該収納体２２２の開放を報知する報知手段２７とを備える。これによれば、不正行為が行われる際の収納体２２２の開放を、当該開放が成された際に報知することができ、これにより不正行為が行われていることを報知することができる。【選択図】図２
2009072340.tif 000002
【特許請求の範囲】
【請求項１】
所定の遊技領域を有する遊技機であって、
当該遊技機の動作を制御するための回路素子が実装された回路基板と、
当該回路基板を内部に収納するための開口を有する箱体、及び、前記開口を閉塞する蓋体を備えた収納体と、
前記収納体の開閉状態を監視する状態監視手段と、
前記状態監視手段による監視に基づいて、前記収納体が開放されたか否かを判定する判定手段と、
前記判定手段により前記収納体が開放されたと判定されると、当該収納体の開放を報知する報知手段とを備えることを特徴とする遊技機。
【請求項２】
請求項１に記載の遊技機において、
前記状態監視手段は、前記収納体を撮像する撮像手段であり、
前記判定手段は、
前記収納体が開放される前の状態に係る画像である基準画像を記憶する記憶部と、
前記基準画像と前記撮像手段により撮像された撮像画像とを比較して、当該各画像が異なる場合に、前記収納体が開放されたと判定する開放判定部とを備えることを特徴とする遊技機。
【請求項３】
請求項１に記載の遊技機において、
前記状態監視手段は、前記収納体における所定領域の色を検出する検出手段であり、
前記収納体は、前記検出手段により検出可能な色を有し、
前記判定手段は、前記検出手段により検出された色が変化した場合に、前記収納体が開放されたと判定することを特徴とする遊技機。
【請求項４】
請求項３に記載の遊技機において、
前記所定領域に所定波長の光を照射する照射手段を備え、
前記所定領域には、前記所定波長の光の照射時に可視光照射時とは異なる色が現出する塗料が塗布されていることを特徴とする遊技機。
【請求項５】
請求項４に記載の遊技機において、
前記所定領域は、前記箱体と前記蓋体との境界部位であることを特徴とする遊技機。
【請求項６】
請求項５に記載の遊技機において、
前記所定領域には、前記箱体と前記蓋体とを封印するシール部材が貼付され、
前記塗料は、前記シール部材における接着面とは反対側の外表面に塗布され、
前記検出手段は、前記外表面の色を検出することを特徴とする遊技機。
【請求項７】
請求項１から請求項６のいずれかに記載の遊技機において、
前記回路基板に電力を供給する第１電力供給手段と、
前記状態監視手段、前記判定手段及び前記報知手段に電力を供給する第２電力供給手段とを備え、
前記第１電力供給手段及び前記第２電力供給手段は、それぞれ独立していることを特徴とする遊技機。
【請求項８】
遊技機と、当該遊技機を管理する管理装置とを備えた遊技システムであって、
前記遊技機は、
当該遊技機の動作を制御するための回路素子が実装された回路基板と、
当該回路基板を内部に収納するための開口を有する箱体、及び、前記開口を閉塞する蓋体を備えた収納体と、
前記収納体の開放状態を監視する状態監視手段とを備え、
前記管理装置は、
前記収納体の開放を報知する報知手段を備え、
前記遊技機及び前記管理装置のいずれかは、
前記状態監視手段による監視に基づいて、前記収納体が開放されたか否かを判定する判定手段を備え、
前記報知手段は、前記判定手段により前記収納体が開放されたと判定されると、当該収納体の開放を報知することを特徴とする遊技システム。
【発明の詳細な説明】
【技術分野】
【０００１】
本発明は、遊技機、及び、当該遊技機と管理装置とを備える遊技システムに関する。
【背景技術】
【０００２】
従来、パチンコ機及びパチスロ機等の遊技機が知られている。このような遊技機は、当該遊技機の動作（例えば、抽選）を制御する回路基板を備えており、当該回路基板には、遊技機の動作を規定する各種プログラム及びデータを記憶したＲＯＭ（Read Only Memory）や、当該ＲＯＭの記憶内容に基づいて、遊技機の動作制御処理を実行するＣＰＵ（Central Processing Unit）等の回路素子が多数実装されている。このような回路素子のうち、ＲＯＭを交換すると、異なる遊技内容を実現することが可能となるので、上記回路基板は他の遊技機に転用されることが多い。
しかしながら、このようなＲＯＭの交換を行うと、遊技機の動作が変更されてしまうので、ＲＯＭの交換は、遊技機の出荷後には許可されていない。このようなＲＯＭの交換等の不正行為を防ぐために、回路基板を収納する収納体に封印シールを貼付する構成が提案されている（例えば、特許文献１参照）。
【０００３】
この特許文献１に記載の収納体（回路基板ボックス）は、内部に回路基板を収納する箱体と、当該箱体を閉塞する蓋体とを備えて構成され、回路基板を収納した箱体と蓋体とを組み合わせて収納体を構成した際に、これら箱体及び蓋体の当接部に封印シールを貼付する。この封印シールは、接着染料層を有しており、当該封印シールを収納体に貼付すると、接着染料層が有する染料が収納体に浸透する。このため、封止シールを収納体から剥がして前述の不正行為を行った後、新たに封印シールを貼付しても、貼付されていた封印シールから浸透した染料の位置と、新たに貼付した封印シールの位置とが多少なりともずれるので、不正行為があったことを確認することができ、これにより不正行為の抑止効果を奏することができる。
【０００４】
また、不正行為の確認においては、封印シールの表面に管理識別情報を記載した収納体が知られている（例えば、特許文献２参照）。
この特許文献２に記載の収納体（基板ケース）は、箱体（本体ケース）及び蓋体（上蓋ケース）を備え、当該箱体及び蓋体に跨るように封印シールが貼付されている。この封印シールは、破れやすく構成されており、当該封印シールの表面には、回路基板に固有な管理識別情報を示すバーコードが印刷されている。このため、封印シールを剥がして不正行為を行った後、新たな封印シールを貼付しても、貼付されていた封印シールと新たに貼付された封印シールに係る管理識別情報がそれぞれ異なるので、不正行為の有無の確認を行うことができる。
【０００５】
【特許文献１】特開平１０−１５１９７号公報
【特許文献２】特開２００６−２９６５８１号公報
【発明の開示】
【発明が解決しようとする課題】
【０００６】
しかしながら、特許文献１及び特許文献２に記載の収納体の構成では、遊技機に不正行為が行われたことを確認することは容易であっても、当該不正行為が行われたタイミングを知ることはできない。このため、不正行為が行われることを防止することはできないという問題があった。
【０００７】
本発明の目的は、不正行為が行われていることを報知することができる遊技機及び遊技システムを提供することである。
【課題を解決するための手段】
【０００８】
前記した目的を達成するために、本発明の遊技機は、所定の遊技領域を有する遊技機であって、当該遊技機の動作を制御するための回路素子が実装された回路基板と、当該回路基板を内部に収納するための開口を有する箱体、及び、前記開口を閉塞する蓋体を備えた収納体と、前記収納体の開閉状態を監視する状態監視手段と、前記状態監視手段による監視状態に基づいて、前記収納体が開放されたか否かを判定する判定手段と、前記判定手段により前記収納体が開放されたと判定されると、当該収納体の開放を報知する報知手段とを備えることを特徴とする。
【０００９】
このような遊技機としては、パチンコ機及びパチスロ機を例示することができ、特に、抽選処理を実行するパチンコ機及びパチスロ機を例示することができる。
本発明によれば、状態監視手段が、回路基板が収納される収納体の開放状態を監視しており、判定手段は、状態監視手段による監視状態に基づいて、収納体が開放されたか否かを判定する。ここで、収納体の蓋体が取り外されて開放され、判定手段により、収納体が開放されたと判定されると、報知手段が当該収納体の開放を報知する。これによれば、収納体が開放されたタイミングを報知手段により報知することができる。従って、例えば、遊技機が遊技場等に設けられている場合に、当該遊技場のスタッフ及び管理者等に、不正行為が行われていることを報知することができる。
【００１０】
本発明では、前記状態監視手段は、前記収納体を撮像する撮像手段であり、前記判定手段は、前記収納体が開放される前の状態に係る画像である基準画像を記憶する記憶部と、前記基準画像と前記撮像手段により撮像された撮像画像とを比較して、当該各画像が異なる場合に、前記収納体が開放されたと判定する開放判定部とを備えることが好ましい。
【００１１】
このような撮像手段としては、ＣＣＤ（Charge-Coupled Device）及びＣＭＯＳ（Complementary Metal Oxide Semiconductor）デバイス等の各種カメラを例示することができる。
本発明によれば、判定手段を構成する開放判定部が、状態監視手段である撮像手段により撮像された収納体の撮像画像と、記憶部に記憶された基準画像とを比較して、当該撮像画像と基準画像とが異なる場合には、開放判定部は、収納体が開放されたと判定する。これによれば、開放判定部が、各画像を画素ごとに判定するなどにより、収納体の開閉状態を詳細かつ正確に判定することができる。従って、収納体の開放状態を精度よく判定することができる。
【００１２】
或いは、本発明では、前記状態監視手段は、前記収納体における所定領域の色を検出する検出手段であり、前記収納体は、前記検出手段により検出可能な色を有し、前記判定手段は、前記検出手段により検出された色が変化した場合に、前記収納体が開放されたと判定することが好ましい。
【００１３】
このような検出手段としては、所定波長の色光を検出した場合に、所定の検出信号を出力するカラーセンサを例示することができ、また、他の検出手段として、輝度センサ等を例示することができる。
本発明によれば、判定手段が、検出手段により検出された収納体の所定領域の色が変化したか否かを判定することによって収納体の開閉を判定し、当該収納体が開放されたと判定すると、報知手段が当該収納体の開放を報知する。これによれば、状態監視手段が撮像手段で構成されている場合に比べ、判定手段による判定処理の負担を軽減することができるほか、状態監視手段を比較的安価に構成することができる。従って、遊技機での処理の負担を軽減することができるとともに、当該遊技機を安価に構成することができる。
【００１４】
本発明では、前記所定領域に所定波長の光を照射する照射手段を備え、前記所定領域には、前記所定波長の光の照射時に可視光照射時とは異なる色が現出する塗料が塗布されていることが好ましい。
【００１５】
このような照射手段が照射する光としては、紫外線及び赤外線等の人間の目で認識しづらい波長の光とすることができる。また、所定領域に塗布される塗料としては、紫外線の照射により所定の色が現出する蓄光塗料、夜光塗料及び蛍光塗料を例示することができるほか、赤外線を強く反射するフッ素樹脂塗料を例示することができる。
【００１６】
本発明によれば、検出手段により検出されることで、判定手段により、収納体が開放されていないと判定される色が、照射手段により所定波長の光が照射されるまでは、当該収納体の所定領域に現出しない。これによれば、不正行為を行おうとする者に、当該色の違いを認識させづらくすることができる。従って、収納体の複製の抑止効果を奏することができるほか、不正な収納体が持ち込まれ、当該不正な収納体が、遊技機に取り付けられようとした場合でも、当該収納体が不正なものであると判定することができ、確実に不正行為の実施を検出、判定及び報知することができる。
【００１７】
本発明では、前記所定領域は、前記箱体と前記蓋体との境界部位であることが好ましい。
本発明によれば、検出手段により色が検出される収納体の領域が、箱体と蓋体との境界部位であるので、当該蓋体が取り外されて収納体が開放された際の色の変化を検出手段により確実に検出することができ、これにより、判定手段により、当該収納体が開放されたと確実に判定することができる。従って、収納体が開放された際に、当該収納体の開放を報知手段により確実に報知することができる。
【００１８】
本発明では、前記所定領域には、前記箱体と前記蓋体とを封印するシール部材が貼付され、前記塗料は、前記シール部材における接着面とは反対側の外表面に塗布され、前記検出手段は、前記外表面の色を検出することが好ましい。
【００１９】
本発明によれば、検出手段により色が検出される領域には、箱体と筐体とを封印し、かつ、前述の塗料が塗布されたシール部材が貼付されている。ここで、不正行為が行われる際には、収納体に貼付されたシール部材が剥がされるので、検出手段は、シール部材が剥がされる前では、当該シール部材の外表面の色を検出し、また、剥がされた後では、収納体の色を検出することとなり、検出される色が異なることとなる。このため、検出手段が、シール部材の色を検出することで、適切に収納体の開放を判定及び報知を行うことができる。また、シール部材の外表面に前述の塗料が塗布されているので、収納体に直接塗布する場合に比べ、箱体及び蓋体の製造工程を簡略化することができる。
【００２０】
本発明では、前記回路基板に電力を供給する第１電力供給手段と、前記状態監視手段、前記判定手段及び前記報知手段に電力を供給する第２電力供給手段とを備え、前記第１電力供給手段及び前記第２電力供給手段は、それぞれ独立していることが好ましい。
【００２１】
本発明によれば、第１電力供給手段と第２電力供給手段とがそれぞれ独立しているので、不正行為が行われる際に、第１電力供給手段からの回路基板への電力供給が停止された場合でも、第２電力供給手段による電力の供給は停止されないので、状態監視手段、判定手段及び報知手段により、確実に収納体の開放を監視、判定及び報知することができる。従って、収納体の開放を確実に報知することができる。
【００２２】
また、本発明の遊技システムは、遊技機と、当該遊技機を管理する管理装置とを備えた遊技システムであって、前記遊技機は、当該遊技機の動作を制御するための回路素子が実装された回路基板と、当該回路基板を内部に収納するための開口を有する箱体、及び、前記開口を閉塞する蓋体を備えた収納体と、前記収納体の開放状態を監視する状態監視手段とを備え、前記管理装置は、前記収納体の開放を報知する報知手段を備え、前記遊技機及び前記管理装置のいずれかは、前記状態監視手段による監視に基づいて、前記収納体が開放されたか否かを判定する判定手段を備え、前記報知手段は、前記判定手段により前記収納体が開放されたと判定されると、当該収納体の開放を報知することを特徴とする。
【００２３】
本発明によれば、前述の遊技機と同様の効果を奏することができるほか、管理装置が報知手段を備えていることにより、複数の遊技機が管理装置に接続されている場合に、当該管理装置で、遊技機が備える収納体の開閉状態を一括管理することができる。
また、判定手段を遊技機が備えている場合には、管理装置での処理の負担を軽減することができ、管理装置が備えている場合には、遊技機の構成を簡略化することができる。
【発明を実施するための最良の形態】
【００２４】
〔１．第１実施形態〕
以下、本発明の第１実施形態を図面に基づいて説明する。
〔遊技システム１の全体構成〕
図１は、本実施形態に係る遊技システム１の構成を示すブロック図である。
本実施形態に係る遊技システム１は、遊技場等に設けられる遊技システムであり、図１に示すように、遊技場内に設けられる複数の遊技機２（図１では、３台の遊技機２）と、当該遊技場とは別室に設けられ、かつ、当該複数の遊技機２を管理する管理装置４とを備えて構成されている。
【００２５】
〔遊技機２の構成〕
図２は、遊技機２の縦断面を示す模式図である。
遊技機２は、パチンコ機として構成され、遊技者のハンドル操作に応じて射出装置により射出された遊技球が、遊技盤２１の盤面上を落下しつつ移動して、所定の入賞口に入賞した場合には、所定数の遊技球を払い出すものである。
この遊技機２は、図１及び図２に示すように、遊技盤２１（図２）、制御手段２２、払出手段２３、画像表示手段２４、撮像手段２５、判定手段２６、音声出力手段２７、第１電力供給手段２８及び第２電力供給手段２９と、これらを内部に収納する筐体３０とを備えて構成されている。また、遊技機２は、図示を省略したが、これらの他に遊技球を射出する射出装置等を備えている。
【００２６】
遊技盤２１は、図２に示すように、正面視略円形状の側壁２１１によって囲まれた遊技領域２１２を有し、当該遊技領域２１２は、適所に遊技球の軌道を変更する複数の釘２１３、遊技球が入賞する始動入賞口２１４及び大入賞口２１５、並びに、入賞しなかった遊技球を回収するアウト口２１６を有している。
【００２７】
図３は、制御手段２２を示す概要斜視図である。
制御手段２２は、遊技機２の動作を制御するものであり、図３に示すように、回路基板２２１と、当該回路基板２２１を内部に収納する収納体２２２とを備えている。
回路基板２２１は、回路素子としてのＲＯＭ２２１Ｒ及びＣＰＵ２２１Ｃ等が実装されており、ＲＯＭ２２１Ｒに記憶された各種プログラム及びデータに基づいて、ＣＰＵ２２１Ｃが遊技機２の動作を制御する。例えば、回路基板２２１は、始動入賞口２１４及び大入賞口２１５に遊技球が入賞した場合には、入賞した遊技球数に応じた所定数の遊技球を払出手段２３に払い出させる。また、回路基板２２１は、始動入賞口２１４に遊技球が入賞した場合には、抽選処理を行うとともに、画像表示手段２４に抽選画像を形成及び表示させる。そして、回路基板２２１は、当該抽選処理により大当たりとなった場合には、通常状態から大当たり状態に移行し、大当たり画像を画像表示手段２４に形成及び表示させるとともに、大入賞口２１５を開放する。
【００２８】
収納体２２２は、箱体２２３及び蓋体２２４が組み合わさって構成され、全体略直方体形状に形成されている。なお、本実施形態に係る箱体２２３及び蓋体２２４は、それぞれ透明な樹脂により形成されているが、収納体２２２内部の回路基板２２１上のＲＯＭ２２１Ｒ及びＣＰＵ２２１Ｃ等を収納体２２２の外部から確認することができれば、箱体２２３及び蓋体２２４のいずれかが透明な樹脂により形成されていてもよい。
このうち、箱体２２３は、回路基板２２１を内部に収納するための開口２２３１を有する箱型形状を有し、当該箱体２２３は、遊技盤２１の背面側に取り付けられる。
また、蓋体２２４は、箱体２２３の開口２２３１を閉塞する。
このような箱体２２３と蓋体２２４との境界部分、具体的に、収納体２２２を平面視した際の長手方向の両端面における略中央部分には、当該箱体２２３及び蓋体２２４に跨るように、シール部材Ｓが貼付されている。このシール部材Ｓは、収納体２２２を封印するものであり、一部が蓋体２２４における箱体２２３に対向する面とは反対側の面にかかっている。
【００２９】
図１に戻り、払出手段２３及び画像表示手段２４は、前述のように、制御手段２２による制御下で動作する。具体的に、払出手段２３は、制御手段２２から入力する制御信号に応じて、所定数の遊技球を払い出す。同様に、画像表示手段２４は、当該制御信号に応じて、抽選画像及び大当たり画像等の所定の画像を形成及び表示する。
【００３０】
撮像手段２５は、本発明の状態監視手段に相当し、本実施形態ではＣＣＤカメラにより構成されている。この撮像手段２５は、図２に示すように、収納体２２２の外観、詳述すると、シール部材Ｓが貼付された箱体２２３及び蓋体２２４の境界部位を撮像する。そして、撮像手段２５は、撮像した撮像画像に係る画像情報を判定手段２６に出力する
【００３１】
判定手段２６は、撮像手段２５により取得された撮像画像に基づいて、不正行為が行われようとしているか否か、すなわち、収納体２２２が開放されたか否かを判定する。この判定手段２６は、記憶部２６１及び開放判定部２６２を備えている。
記憶部２６１は、開放前の状態にある収納体２２２の撮像画像である基準画像を記憶している。なお、この基準画像は、撮像手段２５による撮像画像でなくとも、撮像手段２５により撮像されるアングルの収納体２２２の画像であってもよい。
【００３２】
開放判定部２６２は、撮像手段２５による撮像画像と基準画像とを比較して、収納体２２２が開放されたか否か（箱体２２３から蓋体２２４が取り外されたか否か）を判定する。そして、収納体２２２が開放されたと判定すると、開放判定部２６２は、音声出力手段２７及び管理装置４に報知信号を出力する。この報知信号の出力に際して、開放判定部２６２は、当該報知信号に遊技機２の識別情報を含めて管理装置４に出力する。なお、開放判定部２６２による画像の比較は、画素ごとに色及び輝度値等を比較するようにしてもよく、また、各画像中の所定領域同士を比較するようにしてもよい。
【００３３】
音声出力手段２７は、本発明の報知手段に相当し、本実施形態では、スピーカを備えて構成され、開放判定部２６２から報知信号が入力すると、収納体２２２が開放された旨の警告音や音声を出力する。これにより、収納体２２２が開放されたことを報知することができる。
【００３４】
第１電力供給手段２８は、前述の制御手段２２、払出手段２３及び画像表示手段２４等に電力を供給し、これらを動作させる。すなわち、第１電力供給手段２８は、遊技機２の通常の動作に必要な電力を供給する。
第２電力供給手段２９は、前述の撮像手段２５、判定手段２６及び音声出力手段２７に電力を供給して、これらを動作させる。すなわち、第２電力供給手段２９は、収納体２２２の状態監視に必要な電力を供給する。
これら第１電力供給手段２８及び第２電力供給手段２９は、それぞれ独立した電力供給手段であり、これらのうち一方の電力供給が停止した場合でも、他方の電力供給には影響がないように構成されている。
【００３５】
〔管理装置４の構成〕
管理装置４は、各遊技機２と電気的に接続され、当該各遊技機２の出玉情報を記録するとともに、各遊技機２の収納体２２２が開放された場合に、当該収納体２２２の開放を管理者に報知する。このような管理装置４は、図１に示すように、信号取得手段４１、音声出力手段４２及び画像表示手段４３を備えている。
信号取得手段４１は、各遊技機２から出力される各種情報や信号、特に、収納体２２２が開放されたことを示す報知信号を取得する。
【００３６】
音声出力手段４２及び画像表示手段４３は、本発明の報知手段に相当する。
このうち、音声出力手段４２は、前述の報知信号が入力すると、前述の音声出力手段２７と同様の警告音及び音声を出力する。
画像表示手段４３は、当該報知信号が入力すると、入力した識別情報に係る遊技機２の収納体２２２が開放された旨のメッセージを表示するほか、遊技場における各遊技機２のレイアウトを示すレイアウト画面の識別情報に係る遊技機２を、他の遊技機２とは異なる状態で表示する。例えば、画像表示手段４３は、レイアウト画面上の各遊技機２が黒表示されている場合には、収納体２２２が開放された遊技機２を赤点滅表示とする。
このような音声出力手段４２及び画像表示手段４３により、遊技システム１の管理者に、識別情報に係る遊技機２の収納体２２２が開放されたことを報知することができる。
【００３７】
〔遊技システム１での報知処理〕
図４は、遊技システム１で実行される報知処理を示すフローチャートである。
遊技システム１は、以下に示す報知処理を常に実行し、収納体２２２の開閉状態を監視している。
この報知処理では、図４に示すように、まず、遊技機２の撮像手段２５が、収納体２２２を撮像し、当該収納体２２２の撮像画像を判定手段２６に出力する（ステップＳＡ０１）。
【００３８】
次に、判定手段２６の開放判定部２６２が、入力する画像情報に係る撮像画像と、記憶部２６１に記憶された基準画像とを比較して、収納体２２２が開放されたか否かを判定する（ステップＳＡ０２）。ここで、開放判定部２６２が、収納体２２２は開放されていないと判定した場合には、ステップＳＡ０１に戻り、撮像手段２５による収納体２２２の監視、すなわち、当該収納体２２２の撮像を続行する。
また、開放判定部２６２が、収納体２２２が開放されたと判定した場合には、当該開放判定部２６２は、音声出力手段２７及び管理装置４に報知信号を出力する（ステップＳＡ０３）。そして、当該報知信号が入力すると、音声出力手段２７は、前述の警告音及び音声を出力して、収納体２２２が開放されたことを報知する（ステップＳＡ０４）。
【００３９】
一方、管理装置４の信号取得手段４１は、各遊技機２から入力する情報及び信号の監視及び取得を行っており、当該信号取得手段４１は、遊技機２から報知信号が入力したか否かを判定する（ステップＳＡ０５）。ここで、信号取得手段４１が、遊技機２からの報知信号の入力はないと判定した場合には、当該情報及び信号の入力監視を継続する。
また、信号取得手段４１が、遊技機２から報知信号の入力があったと判定した場合には、音声出力手段４２が前述の警告音及び音声を出力するほか、画像表示手段４３が前述の画面表示を行うことにより、入力した識別情報に係る遊技機２の収納体２２２が開放されたことを管理者に報知する（ステップＳＡ０６）。
以上により、遊技システム１での報知処理が終了するが、管理装置４は、他の遊技機２の収納体２２２の開放についても、当該他の遊技機２からの報知信号の入力監視を行っており、当該報知信号が入力した場合には、当該他の遊技機２の収納体２２２が開放された旨の報知を行う。
【００４０】
以上説明した本実施形態の遊技システム１によれば、以下の効果を奏することができる。
（１）収納体２２２を撮像する撮像手段２５により、収納体２２２は撮像されており、この収納体２２２の撮像画像に基づいて、判定手段２６が、収納体２２２の開放を判定する。そして、当該判定手段２６により、収納体２２２が開放されたと判定されると、音声出力手段２７，４２及び画像表示手段４３が当該収納体２２２の開放を報知する。これによれば、収納体２２２が開放されたタイミングで、当該収納体２２２の開放を報知することができる。従って、遊技機２が設けられた遊技場のスタッフ及び管理者等に、不正行為が実施されたタイミングで、当該不正行為の実施を報知することができる。
【００４１】
（２）判定手段２６の開放判定部２６２は、撮像手段２５により撮像された収納体２２２の撮像画像と、記憶部２６１に記憶された基準画像とを比較して、収納体２２２が開放されたか否かを判定する。これによれば、開放判定部２６２が、収納体２２２の開閉状態を詳細かつ正確に判定することができる。
【００４２】
（３）遊技機２には、制御手段２２等に電力を供給する第１電力供給手段２８と、撮像手段２５、判定手段２６及び音声出力手段２７に電力を供給する第２電力供給手段２９とが、それぞれ独立して設けられている。これによれば、不正行為が実施されようとして、第１電力供給手段２８からの電力供給が停止された場合でも、第２電力供給手段２９からの電力供給は停止されないので、これら各手段２５〜２７による収納体２２２の監視、開放判定及び開放報知を確実に行うことができる。従って、収納体２２２が開放された場合に、当該収納体２２２の開放を確実に報知することができる。
【００４３】
（４）各遊技機２を管理する管理装置４が、当該遊技機２の収納体２２２が開放された際に、当該収納体２２２の開放を報知する音声出力手段４２及び画像表示手段４３を備えている。これによれば、管理装置４により、各収納体２２２の開閉状態を一括管理することができる。従って、不正行為が行われた遊技機２を把握しやすくすることができる。
（５）各遊技機２が、収納体２２２の開放を判定する判定手段２６を備えていることにより、管理装置４が各収納体２２２の開閉状態をそれぞれ判定する必要がない。従って、管理装置４による処理の負担を軽減することができる。
【００４４】
〔２．第２実施形態〕
次に、本発明の第２実施形態に係る遊技システム１Ａについて説明する。
本実施形態の遊技システム１Ａは、前述の遊技システム１と同様の構成を備えるが、当該遊技システム１では、各遊技機２が判定手段２６を備えていたのに対し、遊技システム１Ａでは、管理装置が判定手段を備えている点において、遊技システム１Ａと遊技システム１とは相違する。なお、以下の説明では、既に説明した部分と同一または略同一である部分については、同一の符号を付して説明を省略する。
【００４５】
図５は、遊技システム１Ａの構成を示すブロック図である。
遊技システム１Ａは、遊技システム１と同様に、複数の遊技機２Ａ及び管理装置４Ａを備えて構成されている。
このうち、遊技機２Ａは、前述の遊技機２と同様に、パチンコ機として構成され、図５に示すように（遊技盤２１は図示省略）、判定手段２６及び音声出力手段２７に代えて、画像出力手段３１を備えるほかは、遊技機２と同様の構成を備える。なお、本実施形態では、第２電力供給手段２９は、撮像手段２５及び画像出力手段３１に電力を供給する。
【００４６】
画像出力手段３１は、状態監視手段としての撮像手段２５により撮像された収納体２２２の撮像画像に係る画像情報と、遊技機２Ａを示す識別情報とを、管理装置４Ａに出力する。なお、画像出力手段３１は、本実施形態では、収納体２２２の撮像画像を動画像として出力する構成であるが、所定時間（例えば５秒）ごとに撮像した静止画像として出力する構成としてもよい。
【００４７】
管理装置４Ａは、前述の管理装置４と同様に、当該複数の遊技機２Ａを管理する。この管理装置４Ａは、信号取得手段４１に代えて、画像取得手段４Ａ１及び判定手段４Ａ２を備えるほかは、管理装置４と同様の構成を備えている。
このうち、画像取得手段４Ａ１は、各遊技機２Ａから出力された収納体２２２の撮像画像に係る画像情報を、識別情報ごとに区分して取得する。
【００４８】
判定手段４Ａ２は、前述の判定手段２６と同様に、収納体２２２の撮像画像に基づいて、当該収納体２２２が開放されたか否かを判定する。この判定手段４Ａ２は、記憶部４Ａ２１及び開放判定部４Ａ２２を備えている。
記憶部４Ａ２１は、前述の記憶部２６１と同様に、各遊技機２Ａの収納体２２２が開放される前の状態にある当該収納体２２２の画像である基準画像を記憶している。この基準画像は、本実施形態では、各遊技機２Ａの識別情報ごとに記憶されているが、撮像手段２５による撮像条件（アングル等）が各遊技機２Ａで同じであれば、各遊技機２Ａに応じた基準画像ではなく、１つの基準画像としてもよい。
【００４９】
開放判定部４Ａ２２は、画像取得手段４Ａ１により取得された撮像画像と、記憶部４Ａ２１に記憶された基準画像とを比較し、入力した識別情報に係る遊技機２Ａの収納体２２２が開放されたか否かを判定する。そして、開放判定部４Ａ２２は、収納体２２２が開放されたと判定した場合には、報知手段としての音声出力手段４２及び画像表示手段４３に報知信号を出力し、これら各手段４２，４３により、収納体２２２が開放された旨を報知させる。
【００５０】
〔遊技システム１Ａでの報知処理〕
図６は、遊技システム１Ａで実行される報知処理を示すフローチャートである。
遊技システム１Ａは、以下に示す報知処理を常に実行し、収納体２２２の開閉状態を監視している。
この報知処理では、図６に示すように、まず、遊技機２Ａの撮像手段２５が、収納体２２２を撮像し（ステップＳＢ０１）、画像出力手段３１が、当該収納体２２２の撮像画像に係る画像情報を、遊技機２Ａの識別情報とともに管理装置４Ａに出力する（ステップＳＢ０２）。この撮像画像の取得及び出力（ステップＳＢ０１，ＳＢ０２）は、前述のように、継続して行われる。
【００５１】
一方、管理装置４Ａでは、画像取得手段４Ａ１が、各遊技機２Ａから出力された撮像画像の画像情報及び識別情報を取得する（ステップＳＢ０３）。
この後、判定手段４Ａ２の開放判定部４Ａ２２が、前述のステップＳＡ０２と同様に、取得された収納体２２２の撮像画像と、基準画像とを比較して、当該収納体２２２が開放されたか否かを判定する（ステップＳＢ０４）。ここで、開放判定部４Ａ２２は、収納体２２２が開放されていないと判定すると、ステップＳＢ０３に戻り、画像取得手段４Ａ１による撮像画像に係る画像情報の取得、及び、開放判定部４Ａ２２による開放判定を行う。
【００５２】
また、開放判定部４Ａ２２が、収納体２２２が開放されたと判定すると、当該開放判定部４Ａ２２は、音声出力手段４２及び画像表示手段４３に報知信号を出力し、当該音声出力手段４２及び画像表示手段４３は、ステップＳＡ０６と同様に、識別情報に係る遊技機２Ａの収納体が開放された旨を報知する（ステップＳＢ０５）。
以上により、遊技システム１Ａでの報知処理が終了するが、管理装置４Ａは、他の遊技機２Ａの収納体２２２の開放についても、当該他の遊技機２Ａから入力する撮像画像の画像情報及び識別情報に基づいて判定及び報知する。
【００５３】
以上説明した本実施形態の遊技システム１Ａによれば、前述の効果（１）〜（４）と同様の効果を奏することができるほか、以下の効果を奏することができる。
（６）管理装置４Ａが、各遊技機２Ａの収納体２２２の開閉状態を判定する判定手段４Ａ２を備えていることにより、各遊技機２Ａは、撮像手段２５により撮像された収納体２２２の撮像画像に係る画像情報及び識別情報を管理装置４Ａに出力すればよいこととなるので、当該各遊技機２Ａの構成を簡略化することができる。また、撮像画像と比較される基準画像は、管理装置４Ａの記憶部４Ａ２１にのみ記憶されているので、このような基準画像が不正に書き換えられることを防ぐことができる。
【００５４】
〔３．第３実施形態〕
次に、本発明の第３実施形態に係る遊技システム１Ｂについて説明する。
本実施形態の遊技システム１Ｂは、前述の遊技システム１と同様の構成を備えるが、当該遊技システム１では、撮像手段２５が収納体２２２を撮像し、判定手段２６が撮像画像と基準画像とを比較することで収納体２２２の開放を判定したが、遊技システム１Ｂでは、収納体に貼付されたシール部材の色を判定することで収納体の開閉状態を判定する点において、遊技システム１Ｂと遊技システム１とは相違する。なお、以下の説明では、既に説明した部分と同一または略同一である部分については、同一の符号を付して説明を省略する。
【００５５】
図７は、本実施形態に係る遊技システム１Ｂの構成を示すブロック図である。
遊技システム１Ｂは、遊技システム１と同様に、複数の遊技機２Ｂ及び管理装置４を備えて構成されている。
遊技機２Ｂは、前述の遊技機２と同様に、パチンコ機として構成され、図７に示すように（遊技盤２１は図示省略）、制御手段２２、撮像手段２５及び判定手段２６に代えて、制御手段２２Ｂ、照射手段３２、検出手段３３及び判定手段３４を備えるほかは、遊技機２と同様の構成を備える。なお、本実施形態では、第１電力供給手段２８は、制御手段２２に代えて制御手段２２Ｂに電力を供給し、また、第２電力供給手段２９は、照射手段３２、検出手段３３、判定手段３４及び音声出力手段２７に電力を供給する。
【００５６】
制御手段２２Ｂは、制御手段２２と同様に、回路基板２２１と、収納体２２２とを備えている。このうち、収納体２２２には、シール部材Ｓが貼付されているが、本実施形態のシール部材Ｓの外表面（接着面とは反対側の面）には、可視光照射時には現出しないか、或いは、目立たないが、紫外線照射により所定の色が現出する塗料が塗布されている。このような塗料としては、夜光塗料、蛍光塗料及び蓄光塗料を例示することができ、例えば、シンロイヒ株式会社製の「ルミライトカラー」（登録商標）を採用することができる。
【００５７】
照射手段３２は、収納体２２２におけるシール部材Ｓが貼付された領域に紫外線を照射する。詳述すると、照射手段３２が紫外線を照射する領域は、シール部材Ｓが貼付された領域における箱体２２３と蓋体２２４との境界部位である。
検出手段３３は、本発明の状態監視手段に相当し、照射手段３２により紫外線が照射される領域の色を絶えず検出するカラーセンサにより構成されている。このため、検出手段３３は、シール部材Ｓが貼付されている場合には、当該シール部材Ｓの色を検出し、シール部材Ｓが剥がされた場合には、シール部材Ｓが貼付されていた領域である箱体２２３及び蓋体２２４の境界部位の色を検出する。そして、検出手段３３は、検出した色を示す色情報を判定手段３４に出力する。
【００５８】
判定手段３４は、検出手段３３により検出された色が変化したか否か、すなわち、検出手段３３から入力する色情報が変化したか否かを判定することにより、収納体２２２の開閉状態を判定する。そして、判定手段３４は、検出手段３３により検出された色が変化したと判定した場合に、収納体２２２が開放されたと判断して、音声出力手段２７及び管理装置４に報知信号を出力する。
【００５９】
〔遊技システム１Ｂでの報知処理〕
図８は、遊技システム１Ｂで実行される報知処理を示すフローチャートである。
遊技システム１Ｂは、以下に示す報知処理を常に実行し、収納体２２２の開閉状態を監視している。
この報知処理では、図８に示すように、まず、遊技機２Ｂの検出手段３３が、照射手段３２により紫外線が照射された領域の色を検出し、当該色を示す色情報を継続して判定手段３４に出力する（ステップＳＣ０１）。
そして、判定手段３４が、入力した色情報に基づいて、収納体２２２が開放されたか否かを判定する（ステップＳＣ０２）。ここで、判定手段３４が、入力した色情報に変化がないと判定した場合には、収納体２２２は開放されていないと判断して、ステップＳＣ０１に戻り、検出手段３３による色の検出、及び、判定手段３４による収納体２２２の開放判定を再度行う。
【００６０】
一方、判定手段３４が、入力した色情報に変化があったと判定した場合には、収納体２２２が開放されたと判断して、報知信号を出力する（ステップＳＣ０３）。
当該ステップＳＣ０３の処理後、遊技機２ＢではステップＳＡ０４が実行され、また、管理装置４では前述のステップＳＡ０５，ＳＡ０６が実行される。
以上により、遊技システム１Ｂでの報知処理が終了するが、管理装置４は、他の遊技機２Ｂの収納体２２２が開放された場合でも、入力する報知信号に基づいて、当該収納体２２２の開放を報知する。
【００６１】
以上説明した本実施形態の遊技システム１Ｃによれば、前述の効果（３）〜（５）と同様の効果を奏することができるほか、以下の効果を奏することができる。
（７）検出手段３３が、収納体２２２におけるシール部材Ｓが貼付された領域の色を継続して検出し、判定手段３４が、当該色に係る色情報に基づいて、収納体２２２の開閉状態を判定する。そして、判定手段３４により、収納体２２２が開放されたと判定されると、音声出力手段２７，４２及び画像表示手段４３が、当該収納体２２２の開放を報知する。これによれば、シール部材Ｓが収納体２２２から剥がされたタイミングで、当該収納体２２２の開放を報知することができる。従って、遊技場のスタッフ及び管理者等に、不正行為が実施されたタイミングで、当該不正行為の実施を報知することができる。
【００６２】
（８）判定手段３４は、検出手段３３により検出された色が変化したか否かを判定することで、収納体２２２が開放されたか否かを判定する。これによれば、前述のような撮像手段２５により収納体２２２を撮像して監視する場合に比べ、判定手段３４による判定処理の負担を軽減することができるほか、遊技機２Ｂを安価に構成することができる。
【００６３】
（９）シール部材Ｓに塗布された塗料は、照射手段３２により紫外線が照射された場合の色と、可視光線が照射された場合の色とが異なる。これによれば、不正行為を行おうとする者に、シール部材Ｓを剥がす前と剥がした後との色の違いを認識させづらくすることができる。従って、収納体２２２及びシール部材Ｓの複製を抑止することができるほか、不正な収納体２２２及びシール部材Ｓが持ち込まれ、当該不正な収納体２２２及びシール部材Ｓが取り付けられようとした場合でも、確実に不正行為の実施を検出、判定及び報知することができる。
【００６４】
（１０）検出手段３３は、シール部材Ｓが貼付される領域における箱体２２３及び蓋体２２４の境界部位の色を検出する。これによれば、シール部材Ｓが取り外された場合、及び、蓋体２２４が取り外された場合のどちらの場合でも、検出手段３３によって検出される色が変化するので、収納体２２２が開放されたことを確実に検出、判定及び報知することができる。
（１１）検出手段３３により検出されるシール部材Ｓに、前述の塗料が塗布されているので、収納体２２２に当該塗料を塗布する場合に比べ、箱体２２３及び蓋体２２４の製造工程を簡略化することができる。
【００６５】
〔４．第４実施形態〕
次に、本発明の第４実施形態に係る遊技システム１Ｃについて説明する。
本実施形態の遊技システム１Ｃは、前述の遊技システム１Ｂと同様の構成を備えるが、前述の遊技システム１Ａと同様に、各遊技機が有する収納体の開閉状態を判定する判定手段が管理装置に設けられている点において、遊技システム１Ｃと遊技システム１Ｂとは相違する。なお、以下の説明では、既に説明した部分と同一または略同一である部分については、同一の符号を付して説明を省略する。
【００６６】
図９は、本実施形態に係る遊技システム１Ｃの構成を示すブロック図である。
遊技システム１Ｃは、遊技システム１Ｂと同様に、複数の遊技機２Ｃ及び管理装置４Ｃを備えて構成されている。
遊技機２Ｃは、前述の遊技機２と同様に、パチンコ機として構成され、図９に示すように（遊技盤２１は図示省略）、音声出力手段２７及び判定手段３４に代えて、色情報出力手段３５を備えるほかは、遊技機２と同様の構成を備える。
この色情報出力手段３５は、検出手段３３により検出された色に係る色情報、及び、遊技機２Ｃに固有の識別情報を管理装置４Ｃに出力する。
なお、本実施形態では、第２電力供給手段２９は、照射手段３２、検出手段３３及び色情報出力手段３５に電力を供給する。
【００６７】
管理装置４Ｃは、前述の管理装置４と同様に、当該複数の遊技機２Ｃを管理する。この管理装置４Ｃは、色情報取得手段４Ｃ１と、判定手段４Ｃ２と、報知手段としての音声出力手段４２及び画像表示手段４３とを備えている。
このうち、色情報取得手段４Ｃ１は、各遊技機２Ｃから出力された色情報を、識別情報ごとに区分して取得する。
判定手段４Ｃ２は、取得された識別情報に係る遊技機２Ｃから入力する色情報が変化したか否かを判定して、当該遊技機２Ｃの収納体２２２が開放されたか否かを判定する。そして、判定手段４Ｃ２は、当該色情報が変化したと判定すると、収納体２２２が開放されたと判断して、音声出力手段４２及び画像表示手段４３に報知信号を出力する。
【００６８】
〔遊技システム１Ｃでの報知処理〕
図１０は、遊技システム１Ｃで実行される報知処理を示すフローチャートである。
遊技システム１Ｃは、以下に示す報知処理を常に実行し、収納体２２２の開閉状態を監視している。
この報知処理では、図１０に示すように、まず、遊技機２Ｃの検出手段３３が、照射手段３２によって紫外線が照射された領域の色を検出し（ステップＳＤ０１）、色情報出力手段３５が、当該色に係る色情報及び識別情報を、管理装置４Ｃに出力する（ステップＳＤ０２）。このような色検出及び色情報出力（ステップＳＤ０１，ＳＤ０２）は、継続して行われる。
【００６９】
一方、管理装置４Ｃでは、色情報取得手段４Ｃ１が、遊技機２Ｃから出力された色情報及び識別情報を取得し（ステップＳＤ０３）、判定手段４Ｃ２が、取得された色情報に基づいて、識別情報に係る遊技機２Ｃの収納体２２２の開閉状態を判定する（ステップＳＤ０４）。ここで、判定手段４Ｃ２により、収納体２２２が開放されていないと判定されると、ステップＳＤ０３に戻り、色情報取得手段４Ｃ１による色情報の取得、及び、判定手段４Ｃ２による収納体２２２の開放判定を再度行う。
【００７０】
また、判定手段４Ｃ２は、収納体２２２が開放されたと判定すると、音声出力手段４２及び画像表示手段４３に報知信号を出力し、当該音声出力手段４２及び画像表示手段４３は、前述のように、収納体２２２の開放を報知する（ステップＳＡ０６）。
以上により、遊技システム１Ｃでの報知処理が終了するが、管理装置４Ｃは、他の遊技機２Ｃの収納体２２２の開放についても、当該他の遊技機２Ｃから入力する色情報及び識別情報に基づいて判定及び報知する。
以上説明した本実施形態の遊技システム１Ｃによれば、前述の効果（３）〜（４）、（６）〜（１１）と同様の効果を奏することができる。
【００７１】
〔５．実施形態の変形〕
本発明は前述の実施形態に限定されるものではなく、本発明の目的を達成できる範囲での変形、改良等は本発明に含まれるものである。
前記第１及び第２実施形態では、状態監視手段として、ＣＣＤカメラを備えて構成される撮像手段２５を挙げ、前記第３及び第４実施形態では、カラーセンサを備えて構成される検出手段３３を挙げたが、本発明はこれに限らない。例えば、撮像手段として構成する場合には、ＣＭＯＳデバイスを採用してもよく、また、検出手段として構成する場合には、輝度センサ等を採用してもよい。
【００７２】
前記第１及び第２実施形態では、判定手段２６，４Ａ２は、撮像手段２５により取得された収納体２２２の撮像画像と、予め記憶部２６１，４Ａ２１に記憶された基準画像とを比較することで、当該収納体２２２の開閉状態を判定するとしたが、本発明はこれに限らない。例えば、判定手段は、取得された撮像画像と、当該撮像画像より前に取得された撮像画像とを比較することで、収納体２２２の開閉状態を判定するように構成してもよい。
【００７３】
前記第３及び第４実施形態では、シール部材Ｓには、紫外線が照射されると、可視光線が照射された場合の色とは異なる色が現出する塗料が塗布されているとしたが、本発明はこれに限らない。このような塗料として、例えば、赤外線を強く反射するフッ素樹脂塗料を用いてもよい。更には、収納体と異なる色の塗料を塗布するようにしてもよい。すなわち、検出手段によって、収納体の開状態及び閉状態で異なる色が検出されるような塗料及び構成であれば、他のものでもよい。また、これに伴って、照射手段３２が照射する光も、紫外光に限らず、赤外光であってもよく、更には可視光であってもよい。
【００７４】
前記第３及び第４実施形態では、前記塗料はシール部材Ｓに塗布されているとしたが、本発明はこれに限らず。収納体２２２に塗布されていてもよい。例えば、シール部材が貼付される領域に当該塗料を塗布しておけば、当該シール部材が剥がされた際に、検出手段が収納体に塗布された塗料の色を検出することができるので、この塗料の色の検出を指標として、収納体の開閉状態を判定するようにしてもよい。
【００７５】
前記各実施形態では、報知手段として、遊技機２，２Ａ，２Ｂ，２Ｃは、音声出力手段２７を備え、また、管理装置４，４Ａ，４Ｃは、音声出力手段４２及び画像表示手段４３を備えるとしたが、本発明はこれに限らない。例えば、報知手段をＬＥＤ等を備える点灯装置で構成してもよい。すなわち、遊技機の収納体が開放された際に報知することができれば、他の構成としてもよい。
【００７６】
前記各実施形態では、遊技機２，２Ａ，２Ｂ，２Ｃは、それぞれパチンコ機として構成したが、本発明はこれに限らない。すなわち、遊技機は、パチスロ機やピンボール機として構成してもよい。
また、前記各実施形態では、遊技機２，２Ａ，２Ｂ，２Ｃ及び管理装置４，４Ａ，４Ｃをそれぞれ備えた遊技システム１，１Ａ，１Ｂ，１Ｃとして構成したが、本発明はこれに限らず、遊技機を単体として用いる構成としてもよい。すなわち、本発明の遊技機は、必ずしも管理装置と接続された遊技システムの１つの構成でなくてもよい。
【産業上の利用可能性】
【００７７】
本発明は、機器の動作を制御する回路基板を備えた遊技機及び遊技システムに好適に利用することができる。
【図面の簡単な説明】
【００７８】
【図１】本発明の第１実施形態に係る遊技システムの構成を示すブロック図。
【図２】前記実施形態における遊技機の縦断面を示す模式図。
【図３】前記実施形態における制御手段を示す概要斜視図。
【図４】前記実施形態における報知処理を示すフローチャート。
【図５】本発明の第２実施形態に係る遊技システムの構成を示すブロック図。
【図６】前記実施形態における報知処理を示すフローチャート。
【図７】本発明の第３実施形態に係る遊技システムの構成を示すブロック図。
【図８】前記実施形態における報知処理を示すフローチャート。
【図９】本発明の第４実施形態に係る遊技システムの構成を示すブロック図。
【図１０】前記実施形態における報知処理を示すフローチャート。
【符号の説明】
【００７９】
１，１Ａ，１Ｂ，１Ｃ…遊技システム、２，２Ａ，２Ｂ，２Ｃ…遊技機、４，４Ａ，４Ｃ…管理装置、２５…撮像手段（状態監視手段）、２６…判定手段、２７…音声出力手段（報知手段）、２８…第１電力供給手段、２９…第２電力供給手段、３２…照射手段、３３…検出手段（状態監視手段）、３４…判定手段、４２…音声出力手段（報知手段）、４３…画像表示手段（報知手段）、２２１…回路基板、２２１Ｃ…ＣＰＵ（回路素子）、２２１Ｒ…ＲＯＭ（回路素子）、２２２…収納体、２２３…箱体、２２４…蓋体、２６１…記憶部、２６２…開放判定部、４Ａ２…判定手段、４Ａ２１…記憶部、４Ａ２２…開放判定部、４Ｃ２…判定手段、Ｓ…シール部材。
【図１】
2009072340.tif 000003
【図２】
2009072340.tif 000004
【図３】
2009072340.tif 000005
【図４】
2009072340.tif 000006
【図５】
2009072340.tif 000007
【図６】
2009072340.tif 000008
【図７】
2009072340.tif 000009
【図８】
2009072340.tif 000010
【図９】
2009072340.tif 000011
【図１０】
2009072340.tif 000012